(57)【特許請求の範囲】
【請求項１】
第１のシートと第２のシートとが貼着されるとともに、前記第２のシートの前記第１のシートとの貼着面とは反対側の面に剥離紙が剥離可能に貼着されてなる伝票部と、
前記第１のシート及び前記第２のシートのうち少なくとも前記第１のシートが前記伝票部から切り離し線を介して延設してなる分離票部とを有し、
前記第１のシート及び前記第２のシートは、前記伝票部にて配送ラベルが当該伝票部から分離可能に区画形成され、
前記伝票部は、前記配送ラベルの少なくとも一部が前記第１のシートと前記第２のシートとが剥離可能に貼着されるとともに、前記配送ラベルと前記切り離し線との間に、所定幅のマージン部を有し、
前記マージン部には、前記切り離し線と並行するスリットが形成されている、配送ラベル用シート。
【発明の詳細な説明】
【技術分野】
【０００１】
本発明は、配送ラベルを具備する伝票部と、伝票部に切り離し線を介して連接した分離票部とを有する配送ラベル用シートに関し、特に、伝票部と分離票部とを切り離し線によって切り離す際に配送ラベルにおける紙破れを回避する技術に関する。
【背景技術】
【０００２】
従来、配送物を配送する場合、配送物の配送元及び配送先の住所や氏名あるいは名称等の配送情報が印字された配送ラベルが用いられ、配送情報が印字された配送ラベルが配送物に貼付され、配送ラベルに印字された配送情報に従って配送物が配送先に配送されている。また、配送物が配送される際、配送物の明細情報が印字された明細書が配送物に添付されて配送されたり、配送業者にて保管されたりする場合がある。
【０００３】
上述した配送ラベルと明細書とは、配送物毎に印字内容のマッチングを確保する必要がある。そこで、配送ラベルと明細書とを一体化し、配送ラベルへの配送情報の印字と明細書への明細情報の印字とを同時に行うことで、配送ラベルと明細書の印字内容のマッチングを確保する技術が考えられており、例えば、特許文献１に開示されている。
【０００４】
特許文献１に開示された技術においては、配送ラベルと明細書との境界にミシン目が形成されており、このミシン目によって配送ラベルと明細書とが分離可能に一体化されている。そして、配送ラベルと明細書とが一体化した状態にて配送ラベルと明細書のそれぞれに情報が印字され、その後、ミシン目が破断されることで配送ラベルと明細書とが分離されて使用されることになる。
【先行技術文献】
【特許文献】
【０００５】
【特許文献１】特開２００４−３４１４０４号公報
【発明の概要】
【発明が解決しようとする課題】
【０００６】
しかしながら、上述したように、配送ラベルと明細書との境界にミシン目が形成され、このミシン目によって配送ラベルと明細書とが分離可能に一体化されているものにおいては、配送ラベルと明細書とを分離するためにミシン目を破断する際に、その力の加減によっては紙破れが生じる虞があり、その場合、紙破れが直ちに配送ラベルに達してしまうことになる。配送ラベルには、上述したような配送先を示す配送情報が印字されているため、配送ラベルに紙破れが生じた場合、配送物を配送先に配送できなくなってしまう虞がある。また、配送ラベルは、配送物に貼付されるものであるため、外観が悪くなり、さらに、紙破れの部分をきっかけとして配送物から剥離して脱落してしまう虞もある。
【０００７】
本発明は、上述したような従来の技術が有する問題点に鑑みてなされたものであって、配送ラベルを具備する伝票部と、伝票部に切り離し線を介して連接した分離票部とを有する配送ラベル用シートにおいて、伝票部と分離票部とを切り離し線によって切り離す際に配送ラベルにおける紙破れを回避することができる配送ラベル用シートを提供することを目的とする。
【課題を解決するための手段】
【０００８】
上記目的を達成するために本発明は、
第１のシートと第２のシートとが貼着されるとともに、前記第２のシートの前記第１のシートとの貼着面とは反対側の面に剥離紙が剥離可能に貼着されてなる伝票部と、
前記第１のシート及び前記第２のシートのうち少なくとも前記第１のシートが前記伝票部から切り離し線を介して延設してなる分離票部とを有し、
前記第１のシート及び前記第２のシートは、前記伝票部にて配送ラベルが当該伝票部から分離可能に区画形成され、
前記伝票部は、前記配送ラベルの少なくとも一部が前記第１のシートと前記第２のシートとが剥離可能に貼着されるとともに、前記配送ラベルと前記切り離し線との間に、所定幅のマージン部を有し、
前記マージン部には、前記切り離し線と並行するスリットが形成されている。
【０００９】
上記のように構成された本発明においては、配送ラベルが分離可能に区画形成された伝票部を構成する第１のシートと第２のシートとのうち少なくとも第１のシートが伝票部から延設して分離票部が構成されていることで、配送ラベルと分離票部とに同時に情報を印字することができ、配送ラベルに印字された情報と分離票部に印字された情報とのマッチングが確保される。また、配送ラベルと分離票部にそれぞれ情報が印字された後、切り離し線によって伝票部と分離票部とが切り離される際、その力の加減によって第１のシートや第２のシートに切り離し線から伝票部側に向かって紙破れが生じたとしても、伝票部が、配送ラベルと切り離し線との間に所定幅のマージン部を有することにより、紙破れが配送ラベルに直ちに波及することがなく、配送ラベルにおける紙破れが回避されることとなる。
【発明の効果】
【００１０】
本発明によれば、配送ラベルが分離可能に区画形成された伝票部を構成する第１のシートと第２のシートとのうち少なくとも第１のシートが伝票部から延設して分離票部が構成されていることにより、配送ラベルに印字された情報と分離票部に印字された情報とのマッチングを確保することができ、さらに、伝票部が、配送ラベルと切り離し線との間に所定幅のマージン部を有することにより、伝票部と分離票部とを切り離し線によって切り離される際、第１のシートや第２のシートに切り離し線から伝票部側に向かって紙破れが生じたとしても、配送ラベルにおける紙破れを回避することができる。
【図面の簡単な説明】
【００１１】
【図１】本発明の配送ラベル用シートの実施の一形態を示す図であり、（ａ）は表面図、（ｂ）は（ａ）に示した矢印Ａ方向から見た図、（ｃ）は（ａ）に示した矢印Ｂ方向から見た図、（ｄ）は裏面図である。
【図２】図１に示した配送ラベル用シートの断面図であり、（ａ）は図１（ａ）に示したＣ−Ｃ’断面図、（ｂ）は図１（ａ）に示したＤ−Ｄ’断面図、（ｃ）は図１（ａ）に示したＥ−Ｅ’断面図である。
【図３】図１及び図２に示した配送ラベル用シートについて伝票部と明細書とを分離するまでの使用方法を説明するための図である。
【図４】図１及び図２に示した配送ラベル用シートについて伝票部から配送ラベルを分離して配送物に貼付するまでの使用方法を説明するための図である。
【図５】図１及び図２に示した配送ラベル用シートについて配送ラベルが貼付された配送物の配送先における使用方法を説明するための図である。
【発明を実施するための形態】
【００１２】
以下に、本発明の実施の形態について図面を参照して説明する。
【００１３】
図１は、本発明の配送ラベル用シートの実施の一形態を示す図であり、（ａ）は表面図、（ｂ）は（ａ）に示した矢印Ａ方向から見た図、（ｃ）は（ａ）に示した矢印Ｂ方向から見た図、（ｄ）は裏面図である。図２は、図１に示した配送ラベル用シート１の断面図であり、（ａ）は図１（ａ）に示したＣ−Ｃ’断面図、（ｂ）は図１（ａ）に示したＤ−Ｄ’断面図、（ｃ）は図１（ａ）に示したＥ−Ｅ’断面図である。
【００１４】
本形態は図１に示すように、ラベルシート２と剥離紙３とが貼着された構成において、伝票部１０と分離票部となる明細書２０とが連接して構成された配送ラベル用シート１であり、ラベルシート２は図２に示すように、伝票部１０及び明細書２０を構成する第１のシートとなる上シート２ａと、伝票部２０のみを構成する第２のシートとなる下シート２ｂとが貼着されて構成されている。上シート２ａには、伝票部１０と明細書２０との境界に切り離し線となるマイクロミシン３０が形成されている。すなわち、ラベルシート２は、上シート２ａと下シート２ｂのうち、上シート２ａのみが、伝票部１０からマイクロミシン３０を介して明細書２０まで延設していることになる。なお、図２においては、図１に示した配送ラベル用シート１の積層構造をわかりやすくするために便宜上厚みを帯びて図示しているが、配送ラベル用シート１は実際には、図１（ｂ），（ｃ）に示すように、横方向から見た場合に積層構造がわからないほどのものである。
【００１５】
伝票部１０は、上シート２ａと下シート２ｂとが貼着されるとともに、下シート２ｂの上シート２ａとの貼着面とは反対側の面に剥離紙３が剥離可能に貼着されて構成されている。伝票部１０には、上シート２ａから下シート２ｂに達するスリット１８ａが形成されており、このスリット１８ａによって、上シート２ａ及び下シート２ｂについて、貼付票１１、配達票１２及び余白部１６ａ，１６ｂからなる配送ラベル１ａが伝票部１０から分離可能に区画形成されている。このスリット１８ａは、マイクロミシン３０と並行する部分と、伝票部１０と明細書２０との連接方向に延びる部分とを有するＬ字型に形成されているが、マイクロミシン３０と並行する部分においては、マイクロミシン３０との間に所定の間隔を有し、また、伝票部１０と明細書２０との連接方向に延びる部分においては、ラベルシート２の伝票部１０と明細書２０との連接方向に延びる一端辺との間に所定の間隔を有し、それにより、配送ラベル１ａと、マイクロミシン３０、及びラベルシート２の伝票部１０と明細書２０との連接方向に延びる一端辺との間にそれぞれ所定幅を有するＬ字型のマージン部１７を有している。すなわち、スリット１８ａは、貼付票１１、配達票１２及び余白部１６ａ，１６ｂからなる配送ラベル１ａと、マージン部１７との境界に形成されており、また、伝票部１０は、貼付票１１、配達票１２及び余白部１６ａ，１６ｂからなる配送ラベル１ａとマイクロミシン３０との間に所定幅のマージン部１７を有していることとなる。また、伝票部１０は、上シート２ａのみにスリット１８ｂ，１８ｃが形成されており、上シート２ａのみについて、スリット１８ｂによって貼付票１１と配達票１２とが分離可能となっているとともに、スリット１８ｃによって配達票１２及び余白部１６ａ，１６ｂが互いに分離可能となっている。すなわち、スリット１８ｂ，１８ｃは、配送ラベル１ａを構成する貼付票１１、配達票１２及び余白部１６ａ，１６ｂの互いの境界に形成されている。
【００１６】
貼付票１１と配達票１２のそれぞれには、配送ラベル１ａが貼付されて配送される配送物の配送元及び配送先の住所や氏名あるいは名称等の配送情報が印字される配送情報印字領域１３，１４が設けられている。また、配達票１２には、配送ラベル１ａが貼付されて配送される配送物の配送先にて受領印を押下するための押印領域１５が設けられている。
【００１７】
上シート２ａの下シート２ｂとの貼着面には、配達票１２及び余白部１６ａとなる領域のみに、剥離剤が塗布されることで剥離層６が積層されている。なお、剥離層６は、配達票１２及び余白部１６ａとなる領域よりも若干広めに積層されていてもよい。
【００１８】
下シート２ｂの上シート２ａとの貼着面には、その全面に感圧接着剤が塗布されることで感圧接着層４が積層されており、この感圧接着層４によって上シート２ａと下シート２ｂが貼着されている。また、下シート２ｂの剥離紙３との貼着面には、その全面に粘着剤が塗布されることで粘着層５が積層されており、この粘着層５によって剥離紙３が剥離可能に貼着されている。
【００１９】
明細書２０は、ラベルシート２のうち上シート２ａのみから構成され、配送ラベル１ａが貼付されて配送される配送物についての明細情報が印字される明細情報印字領域２１が設けられている。
【００２０】
以下に、上記のように構成された配送ラベル用シート１の使用方法及びその際の効果について説明する。
【００２１】
まず、伝票部１０と明細書２０とを分離するまでの使用方法及びその際の効果について説明する。
【００２２】
図３は、図１及び図２に示した配送ラベル用シート１について伝票部１０と明細書２０とを分離するまでの使用方法を説明するための図である。
【００２３】
図１及び図２に示した配送ラベル用シート１を用いて配送物を配送する場合は、まず、図３（ａ）に示すように、貼付票１１及び配達票１２に設けられた配送情報印字領域１３，１４のそれぞれに、配送ラベル１ａが貼付されて配送される配送物の配送元及び配送先の住所や氏名あるいは名称等の配送情報１３ａ，１４ａを印字するとともに、明細書２０に設けられた明細情報印字領域２１に、配送ラベル１ａが貼付されて配送される配送物についての明細情報を印字する。その際、伝票部１０を構成する上シート２ａが、伝票部１０からマイクロミシン３０を介して延設することで明細書２０が構成されているため、貼付票１１及び配達票１２にそれぞれ設けられた配送情報印字領域１３，１４と、明細書２０に設けられた明細情報印字領域２１とに、配送情報１３ａ，１４ａと明細情報２１ａとを同時に印字することができ、これら配送情報１３ａ，１４ａと明細情報２１ａとのマッチングを確保することができる。
【００２４】
その後、配送ラベル１ａを配送物に貼付するとともに、明細書２０を配送物に添付したり保管したりするために、図３（ｂ）に示すように、マイクロミシン３０を破断していき、伝票部１０と明細書２０とを切り離す。その際、図３（ｂ）に示すように、力の加減によっては、破断部分がマイクロミシン３０から逸れて伝票部１０に紙破れ部分７が生じてしまう虞がある。ところが、伝票部１０が、配送ラベル１ａとマイクロミシン３０との間に所定幅のマージン部１７を有することにより、紙破れ部分７が配送ラベルに直ちに波及することがなく、配送ラベル１ａにおける紙破れを回避することができる。
【００２５】
なお、マージン部１７の幅については任意に設定することができるが、マイクロミシン３０とスリット１８ａとの間に、これらに並行するスリット等を形成しておけば、紙破れ部分７がそのスリットよりも配送ラベル１ａ側に延びにくくなり、マージン部１７の幅を狭くすることができる。
【００２６】
次に、伝票部１０から配送ラベルを剥離して配送物に貼付するまでの使用方法及びその際の効果について説明する。
【００２７】
図４は、図１及び図２に示した配送ラベル用シート１について伝票部１０から配送ラベル１ａを分離して配送物に貼付するまでの使用方法を説明するための図である。
【００２８】
上記のようにして伝票部１０と明細書２０とを切り離した後、図４（ａ）に示すように、伝票部１０のうち配送ラベル１ａのみを剥離紙３から剥離していく。配送ラベル１ａとマージン部１７との境界に形成されたスリット１８ａは、上シート２ａから下シート２ｂまで達しているため、配送ラベル１ａを剥離紙３から剥離して伝票部１０から分離することができる。この際、伝票部１０には、マイクロミシン３０によって明細書２０から切り離された端辺から配送ラベル１ａまでの間に所定幅のマージン部１７が設けられているため、このマージン部１７を押さえながら配送ラベル１ａを剥離紙３から容易に剥離することができる。
【００２９】
また、配送ラベル１ａを構成する貼付票１１、配達票１２及び余白部１６ａ，１６ｂの互いの境界にはスリット１８ｂ，１８ｃが形成されているが、スリット１８ｂ，１８ｃは上シート２ａのみに形成されており、貼付票１１、配達票１２及び余白部１６ａ，１６ｂは下シート２ｂにおいては分離されていないため、剥離紙３から配送ラベル１ａを剥離する際には、配送ラベル１ａを構成する貼付票１１、配達票１２及び余白部１６ａ，１６ｂは互いに切り離されない。
【００３０】
そして、剥離紙３が剥離されて伝票部１０から分離した配送ラベル１ａを、図４（ｂ）に示すように、剥離紙３が剥離されることで下シート２ｂの上シート２ａとの貼着面とは反対側の面に表出した粘着層５によって配送物８に貼付する。
【００３１】
このようにして配送ラベル１ａが貼付された配送物８は、貼付票１１及び配達票１２に設けられた配送情報印字領域１３，１４のそれぞれに印字された配送情報１３ａ，１４ａに従って配送先に配送されていく。
【００３２】
次に、配送ラベル１ａが貼付された配送物８の配送先における使用方法について説明する。
【００３３】
図５は、図１及び図２に示した配送ラベル用シート１について配送ラベルが貼付された配送物の配送先における使用方法を説明するための図である。
【００３４】
上記のようにして配送ラベル１ａが貼付された配送物８が配送先に配送されると、図５（ａ）に示すように、配達票１２に設けられた押印領域１５に受領印１５ａが押下される。そして、配送ラベル１ａのうち、配達票１２のみを配送物８から剥離していく。
【００３５】
配達票１２は、上シート２ａに形成されたスリット１８ｂ，１８ｃによって貼付票１１及び余白部１６ａ，１６ｂと分離可能となっており、さらに、上シート２ａと下シート２ｂとが感圧接着層４によって貼着されているものの、上シート２ａの下シート２ｂとの貼着面には、配達票１２及び余白部１６ａとなる領域に剥離層６が積層されているため、図５（ｂ）に示すように、配達票１２を下シート２ｂから剥離して配送物８から剥離することができる。
【００３６】
このようにして配送物８から剥離された配達票１２は、配送業者によって持ち帰られ、配送物８が配送先に配送されたことが管理されることとなる。
【００３７】
なお、本形態においては、マージン部１７が、配送ラベル１ａとマイクロミシン３０との間、及び配送ラベル１ａとラベルシート２の伝票部１０と明細書２０との連接方向に延びる一端辺との間にそれぞれ所定幅を有するＬ字型のものとなっているが、図３（ｂ）に示した効果を得るためには、配送ラベル１ａとマイクロミシン３０との間にて所定幅を有するものであればよい。
【００３８】
また、貼付票１１、配達票１２及び余白部１６ａ，１６ｂからなる配送ラベル１ａのうち、配達票１２及び余白部１６ａのみが、上シート２ａの下シート１ｂとの貼着面に積層された剥離層６によって上シート２ａと下シート２ｂとが剥離可能となっているが、配達票１２を含む少なくとも一部が、上シート２ａと下シート２ｂとが剥離可能となっていればよい。
【００３９】
また、ラベルシート２のうち上シート２ａのみが伝票部１０からマイクロミシン３０を介して延設することで明細書２０が構成されているが、上シート２ａと下シート２ｂとが感圧接着層４によって貼着されたラベルシート２が伝票部１０からマイクロミシン３０を介して延設することで明細書２０が構成されていてもよい。
【符号の説明】
【００４０】
１    配送ラベル用シート
１ａ    配送ラベル
２    ラベルシート
２ａ    上シート
２ｂ    下シート
３    剥離紙
４    感圧接着層
５    粘着層
６    剥離層
７    紙破れ部分
８    配送物
１０    伝票部
１１    貼付票
１２    配達票
１３，１４    配送情報印字領域
１３ａ，１４ａ    配送情報
１５    押印領域
１５ａ    受領印
１６ａ，１６ｂ    余白部
１７    マージン部
１８ａ〜１８ｃ    スリット
２０    明細書
２１    明細情報印字領域
３０    マイクロミシン
【図１】
0006662642.tif 000002
【図２】
0006662642.tif 000003
【図３】
0006662642.tif 000004
【図４】
0006662642.tif 000005
【図５】
0006662642.tif 000006